(57)【特許請求の範囲】
【請求項１】
表示部と、前記表示部が取り付けられる支持構造部と、を備え、
前記支持構造部は、
前記表示部の端が挿入されて前記端を保持するガイドレールと、
前記ガイドレールに挿入されて平坦面に密着させた前記表示部の他端をホルダ部にて挟み込むように、材質の持つ弾性により、前記表示部の表面に平行な面内を前記ホルダ部が回動可能な固定部と、
前記固定部の回動範囲を制限するストッパと、
を有し、
前記ガイドレール及び前記固定部を、同一の樹脂により形成したことを特徴とする電子式電力量計。
【請求項２】
請求項１に記載した電子式電力量計において、
前記バッテリに係合され、端に爪状構造を備えると共に弾性を有する抜け落ち防止構造、及び、前記抜け落ち防止構造との間でバッテリを挟み込んで固定するバンド、を有するバッテリケースを、更に備えたことを特徴とする電子式電力量計。
【発明の詳細な説明】
【技術分野】
【０００１】
本発明は被測定系の使用電力量を測定する電子式電力量計に関する。
【背景技術】
【０００２】
需要家の電力の使用量を測定する電子式電力量計は、測定結果を表示する液晶表示器と
、液晶表示器を取り付ける固定構造を具備する。当該固定構造は金具や樹脂にて液晶表示
器をはさんで固定するものが一般的であった。
【０００３】
また、液晶表示器自体に固定構造を付加した構造を有する液晶表示器がある（例えば特
許文献１）。
【特許文献１】特開２００２−１３１７４８号公報（第７頁、図５）
【発明の開示】
【発明が解決しようとする課題】
【０００４】
しかしながら、これらの液晶表示器の固定方法を採用した場合、固定構造が液晶表示器
に対し応力を加えていた。このため、液晶表示器が割れたり欠けたりするという不具合が
発生する場合があった。
本発明は、液晶表示器等の表示器に応力がかかりにくく、なおかつ固定作業が簡易である
表示器固定構造を有する電子式電力量計を提供することを目的とする。
【課題を解決するための手段】
【０００５】
上記目的を達成するために、請求項１に係る発明は、
表示部と、前記表示部が取り付けられる支持構造部と、を備え、
前記支持構造部は、
前記表示部の端が挿入されて前記端を保持するガイドレールと、
前記ガイドレールに挿入されて平坦面に密着させた前記表示部の他端をホルダ部にて挟み込むように、材質の持つ弾性により、前記表示部の表面に平行な面内を前記ホルダ部が回動可能な固定部と、
前記固定部の回動範囲を制限するストッパと、を有し、
前記ガイドレール及び前記固定部を、同一の樹脂により形成したことを特徴とする。
また、請求項２に係る発明は、請求項１に記載した電子式電力量計において、
バッテリに係合され、端に爪状構造を備えると共に弾性を有する抜け落ち防止構造、及び、前記抜け落ち防止構造との間でバッテリを挟み込んで固定するバンド、を有するバッテリケースを、更に備えたことを特徴とする。
【発明の効果】
【０００６】
本発明によれば、液晶表示器等の表示器に応力がかかりにくく、なおかつ固定作業が簡易
である表示器固定構造を有する電子式電力量計を提供することができる。
【発明を実施するための最良の形態】
【０００７】
以下、本発明の実施例を説明する。
【実施例１】
【０００８】
本発明による電子式電力量計の実施例１について図１，２，３，４，５，６，７を参照
して説明する。
【０００９】
図１において、１００は電子式電力量計筐体で、金属やプラスチックの部材により構成
されており，電力量計の内部構成部品を支持するとともに、外部の雨風等から内部を保護
する。
【００１０】
１０１は回路部で電力量検出装置により構成されており、外部から供給される電圧、負荷
側で使用される使用電流を検出し、乗算し使用電力量データに変換する。
【００１１】
１０２は支持構造部でポリカーボネイト等の樹脂により構成されており、液晶表示器、
電池等の構成部品を支持する。
１０３は表示部で液晶表示器等により構成されており、回路部１０１にて演算された使用
量データを表示する。
【００１２】
１０４は銘板でアルミニウム板等を加工して製作されており、計量器の定格、製造業者等
を表示するとともに、表示部１０３をその開口部から露出させ、露出不要箇所を覆い隠す
。
【００１３】
１０５は透明窓部でガラス等から構成されており、電子式電力量計内部を保護すると共に
、表示部１０３、銘板１０４の表示項目を外部から視認可能となるようにする。
【００１４】
次に、支持構造部１０２の構造詳細について図２を参照して説明する。２０１はガイド
レールで、支持構造部１０２と同一の樹脂等の材質にて構成されており、表示部１０３の
片端を保持する。
２０２ａおよび２０２ｂは突起部で、支持構造部１０２と同一の樹脂等の材質にて構成
されており、表示部１０３の取り付け位置を保つ。
２０３は固定部で、支持構造部１０２と同一の樹脂等の材質にて構成されており、表示
部１０３の他端を保持する。固定部２０３はつまみ部２０３ａを組立者が操作し支点２０
３ｂを中心に回動できる構造となっており、材質である樹脂の持つ弾力性により復帰し、
ホルダ部２０３ｃにて表示部１０３の他端を保持する。
２０４は回動孔で、支持構造部１０２に設けられた空間であり、固定部２０３が回動す
るスペースを確保している。
２０５はストッパで固定部２０３が回動により破損しないよう、その回動範囲を制限し
ている。
２０６はバッテリケースで、支持構造部１０２と同一の樹脂等の材質にて箱状に構成さ
れており、バッテリを保持する。
２０７はバンド部で、支持構造部１０２と同一の樹脂等の材質にてバッテリケース２０６
の一部を構成しており、バッテリを固定する。
２０８は抜け落ち防止構造で、支持構造部１０２と同一の樹脂等の材質にてバッテリケー
ス２０６の一部を構成しており、バッテリの抜け落ちを防止する。
２０８ａは爪状構造で，支持構造部１０２と同一の樹脂等の材質にて抜け落ち防止構造２
０８の一部を構成しており、バッテリの一端に係合し抜け落ちを防止する。ここで、抜け
落ち防止構造２０８により係合するバッテリは後述するバッテリ４０１、例えばリチウム
電池であり、回路部１０１の動作用電源となる。
【００１５】
次に、本実施例の動作につき図３，４，５，６，７を参照しつつ、説明する。
【００１６】
最初に表示部１０３を支持構造部１０２に取り付ける場合について説明する。図３に示す
ように、作業者は表示部１０３の上端を、支持構造部１０２のガイドレール２０１に挿入
する。次に固定部２０３のつまみ部２０３ａを回動孔２０４に沿い支点２０３ｂを支点と
して回動させ、表示部１０３を突起部２０２ａ，２０２ｂ間の支持構造部１０２の平坦面
に密着させる。すると図４に示すように、固定部２０３は材質の持つ弾性にて回動前の位
置に復帰し、表示部１０３を固定する。このようにして作業者は簡単な作業にて表示部１
０３を支持構造部１０２に固定することができる。また、ストッパ２０５が固定部２０３
の回動を制限し、回動限界を超える回動を防止するので、固定部２０３ならびに支持構造
部１０２の破損を防ぐことができる。
次にバッテリを支持構造部１０２に取り付ける場合について説明する。図５において４０
１はバッテリで、作業者はバッテリ４０１を支持構造部１０２のバッテリケース２０６に
抜け落ち防止構造２０８を押し下げつつ挿入する。抜け落ち防止構造２０８は支持構造部
１０２と同質の樹脂にて構成されており弾力があり、バッテリ４０１を挿入可能な程度に
開口する方向にたわむ。この様子をバッテリケース２０６部分の断面図として図６（ａ）
に示す。バッテリ４０１をバッテリケースに完全に挿入すると図６（ｂ）に示すように抜
け落ち防止構造２０８は材質の持つ弾性にて復帰する。抜け落ち防止構造２０８はその端
に爪状構造２０８ａを有しバッテリの抜け落ちを防止する。一方、抜け落ち防止構造２０
８は材質の持つ弾性にてバッテリをバンド２０７に押し付け固定する。このようにして図
７のようにバッテリ４０１はバッテリケース２０６に固定される。本実施例を用いれば例
えば蓋等の分離した構造を必要とすることなく、支持構造部１０２と単一構造にて抜け落
ちを防止するバッテリケースを提供することが可能である。
以上のように本実施例を用いれば、液晶表示器等の表示部１０３に応力がかかりにくく
、なおかつ固定作業が簡易である表示部固定構造を有する電子式電力量計を提供すること
ができる。
【図面の簡単な説明】
【００１７】
【図１】本発明による電子式電力量計の実施例１の内部構造を示す内部構成図
【図２】本発明による電子式電力量計にかかる支持構造の構成を示す構成図
【図３】本発明による電子式電力量計にかかる支持構造への表示部の取り付け状態を示す図（取り付け前）
【図４】本発明による電子式電力量計にかかる支持構造への表示部の取り付け状態を示す図（取り付け後）
【図５】本発明による電子式電力量計にかかる支持構造のバッテリケースへのバッテリの取り付け状態を示す図（取り付け前）
【図６】本発明による電子式電力量計にかかる支持構造のバッテリケースへのバッテリの取り付け状態を示すバッテリケース部分断面図であり（ａ）は取り付け前、（ｂ）は取り付け後を示す
【図７】本発明による電子式電力量計にかかる支持構造のバッテリケースへのバッテリの取り付け状態を示す図（取り付け後）
【符号の説明】
【００１８】
１００    電子式電力量計筐体
１０１    回路部
１０２    支持構造部
１０３    表示部
１０４    銘板
１０５    透明窓部
２０１    ガイドレール
２０２ａ  突起部
２０２ｂ  突起部
２０３    固定部
２０３ａ  つまみ部
２０３ｂ  支点
２０３ｃ  ホルダ部
２０４    回動孔
２０５    ストッパ
２０６    バッテリケース
２０７    バンド部
２０８    抜け落ち防止構造
２０８ａ  爪状構造
４０１    バッテリ
【図１】
0004672521.tif 000002
【図２】
0004672521.tif 000003
【図３】
0004672521.tif 000004
【図４】
0004672521.tif 000005
【図５】
0004672521.tif 000006
【図６】
0004672521.tif 000007
【図７】
0004672521.tif 000008